(57)【特許請求の範囲】
【請求項１】
段ボール板紙によって形成され、矩形状の底板の前後側縁に夫々折目線を介して連設された一対の側壁板が起立し、一方の側壁板の先端縁に折目線を介して連設された天板が前記底板に平行に折り曲がり、両側壁板の各左右側縁に折目線を介して一対ずつ連設された各内フラップが互いに内方に折り曲がると共に各内フラップの先端縁間に間隔が形成され、前記底板と前記天板との各左右側縁に折目線を介して一対ずつ連設された各外フラップが夫々上下から内方に折り曲がり、各外フラップの先端部の少なくとも各内フラップの先端縁間の間隔に対応する位置に突設された当接部の先端縁同士が互いに当接し、各外フラップと前記内フラップとの間に接着部を有する包装箱であって、
前記底板と前記天板との各左右側縁で前記外フラップが連接される折目線において、該折目線の両端部を切欠いて前記内フラップを露出させた切欠部を備え、
前記切欠部の長さは、前記外フラップが前記内フラップに重なる領域の長さに等しいことを特徴とする包装箱。
【発明の詳細な説明】
【技術分野】
【０００１】
本発明は、箱体に収納物を収納するための包装箱に関する。
【背景技術】
【０００２】
従来、打抜かれた段ボール板紙上に内容物を載せ、該内容物を包み込むように段ボール板紙を折り曲げて、箱の組立てと同時に内容物の包装が完了するラップアラウンドケースと言われる包装箱が知られている（例えば、特許文献１（図１参照））。
【０００３】
かかる包装箱では、内容物を包み込むように折り曲げた角筒状のダンボール板を、その端縁に折目線を介して連設された内フラップおよび外フラップで閉塞することにより箱体が形成される。
【先行技術文献】
【特許文献】
【０００４】
【特許文献１】特開２００８−１８４１７４号公報
【発明の概要】
【発明が解決しようとする課題】
【０００５】
しかしながら、かかる従来の包装箱では、これを複数積み上げた場合に、図３に模式的に示すように、下段側の包装箱の外フラップが連設される折目線の両端部から外フラップに掛けて皺付きＣが生じる場合がある。このような皺付きＣは、店頭などで包装箱を複数積み上げた場合に、外フラップが通路側に面することが多く、需要者等の目に付き易い。
【０００６】
以上の事情に鑑みて、本発明は、外フラップに生じる皺付きを防止することができる包装箱を提供することを目的とする。
【課題を解決するための手段】
【０００７】
本発明の収納箱は、段ボール板紙によって形成され、矩形状の底板の前後側縁に夫々折目線を介して連設された一対の側壁板が起立し、一方の側壁板の先端縁に折目線を介して連設された天板が前記底板に平行に折り曲がり、両側壁板の各左右側縁に折目線を介して一対ずつ連設された各内フラップが互いに内方に折り曲がると共に各内フラップの先端縁間に間隔が形成され、前記底板と前記天板との各左右側縁に折目線を介して一対ずつ連設された各外フラップが夫々上下から内方に折り曲がり、各外フラップの先端部の少なくとも各内フラップの先端縁間の間隔に対応する位置に突設された当接部の先端縁同士が互いに当接し、各外フラップと前記内フラップとの間に接着部を有する包装箱であって、
前記底板と前記天板との各左右側縁で前記外フラップが連接される折目線において、該折目線の両端部を切欠いて前記内フラップを露出させた切欠部を備え、
前記切欠部の長さは、前記外フラップが前記内フラップに重なる領域の長さに等しいことを特徴とする包装箱。
【０００８】
本発明の包装箱によれば、外フラップが連接される折目線において、該折目線の両端部が切り欠かれている。
【０００９】
ここで、包装箱を複数積み上げた場合に、下段側の包装箱の天板に上段側の包装箱の荷重が掛り、この天板に掛った荷重が折目線を介して外フラップに掛ることで、折目線に沿って外フラップに皺付きが発生し易い。特に、天板の四隅では、荷重が分散し難いため、折目線でもその両端部の皺付きが顕著である。
【００１０】
これは、抗力を受ける底板と外フラップとの間の折目線についても、同様であり、折目線の両端部に皺付きが発生し易い。
【００１１】
それに対し、本発明の包装箱では、皺付きが発生し易い場所に切欠部が形成されており、天板および底板から外フラップに向う荷重が開放されるようになっている。したがって、切欠部が存在する部分では包装箱の天板および底板から外フラップに荷重が掛ることがなくなり、外フラップに生じる皺付きを防止することができる。
【図面の簡単な説明】
【００１２】
【図１】包装箱の全体構成を示す斜視図。
【図２】仕切り部の構成を示す展開図。
【図３】従来の包装箱の構成を示す分解図。
【発明を実施するための形態】
【００１３】
本実施形態の包装箱１は、図１に示すように、外観が直方体状に形成され、内部に図示しない内容物が収納されている。該包装箱１は、所謂ラップアラウンドケースであり、図２に示すように、大略矩形状に打抜いて形成された段ボール板紙２により組立てられる。
【００１４】
段ボール板紙２は、底板３と、該底板３の前側縁に折目線を介して連設された前側壁板４と、該底板３の後側縁に折目線を介して連設された後側壁板５と、該後側壁板５の先端縁に折目線を介して連設された天板６とを備えている。また、天板６の先端縁には、折目線を介して接着片７が連設されている。
【００１５】
前記前側壁板４と前記後側壁板５との夫々の左右側縁には、一対の内フラップ８が折目線１１を介して連設されている。前記天板６の左右側縁には一対の上外フラップ９が折目線１２を介して連設され、前記底板３の左右側縁には一対の下外フラップ１０が折目線１３を介して連設されている。
【００１６】
さらに、上外フラップ９および下外フラップ１０の先端部には、当接部１４，１５が夫々形成されており、両当接部１４，１５を互いに当接することによって内フラップ８の先端縁間の間隙が閉塞される。そして、上外フラップ９および下外フラップ１０は内フラップ８との重合部分において接着されている。
【００１７】
ここで、上外フラップ９が連設される折目線１２および下外フラップ１０が連設される折目線１３には、その両端部が一定の長さに亘って切り欠かれた切欠部１６が形成されている。切欠部１６の長さは、上外フラップ９および下外フラップ１０が内フラップ８に重なる領域の長さと等しい。
【００１８】
以上のように構成された包装箱１を段ボール板紙２から組み立てるときには、底板３の前側縁に沿って前側壁板４を起立させ、底板３の後側縁に沿って後側壁板５を起立させ、後側壁板５の先端縁に沿って天板６を水平に折り曲げた後に、接着片７を前側壁板４に接着することで四角筒状の胴部を形成する。そして、各内フラップ８を内方に折り曲げ、各外フラップ９，１０を内方に折り曲げて内フラップ８の外側に重合させて、各外フラップ９，１０を各内フラップ８に接着する。これにより、図１に示すように、直方体状に形成される。
【００１９】
このようにして形成された包装箱１は、上外フラップ９が連設される折目線１２には、その両端部に切欠部１６が形成されている。また、下外フラップ１０が連設される折目線１３にもその両端部に切欠部１６が形成されている。
【００２０】
そのため、包装箱１を複数積み上げた場合に、下段側の包装箱１の天板６に上段側の包装箱１の荷重が掛っても、天板６と上外フラップ９との境界において、荷重が分散し難い四隅部分に切欠部１６が設けられているので、天板６からの荷重が上外フラップ９に伝達されることがなく、上外フラップ９の皺付きを確実に防止することができる。
【００２１】
これは、抗力を受ける底板３と下外フラップ１０との間の折目線１３の部分についても、同様である。すなわち、底板３と下外フラップ１０との境界において、荷重が分散し難い四隅部分に切欠部１６が設けられているので、底板３からの抗力が下外フラップ１０に伝達されることがなく、下外フラップ１０の皺付きを確実に防止することができる。
【００２２】
また、切欠部１６の長さを、上外フラップ９および下外フラップ１０が内フラップ８に重なる領域の長さと等しくすることで、包装箱１に掛る荷重を相対的に内フラップ８に掛けることができ、包装箱１に求められる耐圧強度を維持しつつ、皺付きが防止される長さを最大限に確保することができる。
【００２３】
ここで、切欠部１６が存在する部分では、相対的に内フラップ８に荷重が掛り、内フラップ８に皺付きが生じる可能性があるが、内フラップ８に皺付きが発生してもこれを覆う上外フラップ９および下外フラップ１０により、包装箱１の美観が維持される。
【００２４】
なお、本実施形態では、切欠部１６の長さが、上外フラップ９および下外フラップ１０が内フラップ８に重なる領域の長さと等しい場合について説明したが、これに限定されるものではなく、切欠部１６の長さが、上外フラップ９および下外フラップ１０が内フラップ８に重なる領域の長さ以下であれば、特に、皺付きが生じ易い天板６および底板３の四隅部分のみにしてもよい。
【符号の説明】
【００２５】
１…包装箱、２…段ボール板紙、３…底板、４，５…側壁板、６…天板、８…内フラップ、９…上外フラップ（外フラップ）、１０…下外フラップ（外フラップ）、１１，１２，１３…折目線、１４，１５…当接部、１６…切欠部。
【図１】
0005965106.tif 000002
【図２】
0005965106.tif 000003
【図３】
0005965106.tif 000004